(57)【要約】【課題】ＬＥＤ光源ベースの焦点を調整する機能により、光源の態様に応じ、様々な光の形状を形成する焦点可変ＬＥＤ光源ベースを提供する。【解決手段】焦点可変ＬＥＤ光源ベースは、ＬＥＤ光源１１０と、ＬＥＤ光源１１０を覆い、第１のねじ部１０６ａが外周に設けられた円筒形ハウジング１０６と、第１のねじ部１０６ａに対応した第２のねじ部１０２ａが内周に設けられた円筒形焦点調整部１０２と、円筒形焦点調整部１０２中に固設された光学レンズ１０４と、を備える。円筒形焦点調整部１０２は、第２のねじ部１０２ａと第１のねじ部１０６ａとを螺合し、円筒形ハウジング１０６に対して回転させ、光学レンズ１０４とＬＥＤ光源１１０との間の距離を調整する。【選択図】図２
2009054977.tif 000002
【特許請求の範囲】
【請求項１】
ＬＥＤ光源と、
前記ＬＥＤ光源を覆い、第１のねじ部が外周に設けられた円筒形ハウジングと、
前記第１のねじ部に対応した第２のねじ部が内周に設けられた円筒形焦点調整部と、
前記円筒形焦点調整部中に固設された光学レンズと、を備え、
前記円筒形焦点調整部は、前記第２のねじ部と前記第１のねじ部とを螺合し、前記円筒形ハウジングに対して回転させ、前記光学レンズと前記ＬＥＤ光源との間の距離を調整することを特徴とする焦点可変ＬＥＤ光源ベース。
【請求項２】
前記光学レンズは、光吸収凹部を含むことを特徴とする請求項１に記載の焦点可変ＬＥＤ光源ベース。
【請求項３】
前記ＬＥＤ光源は、発光面を有することを特徴とする請求項２に記載の焦点可変ＬＥＤ光源ベース。
【請求項４】
前記円筒形焦点調整部は、前記円筒形ハウジングの移動範囲に対応し、前記ＬＥＤ光源の前記発光面の位置を前記光吸収凹部中に保持することを特徴とする請求項３に記載の焦点可変ＬＥＤ光源ベース。
【請求項５】
前記発光面は凸面であることを特徴とする請求項４に記載の焦点可変ＬＥＤ光源ベース。
【請求項６】
前記円筒形焦点調整部の光吸収凹部の深さは、前記ＬＥＤ光源の高さよりも大きいことを特徴とする請求項１に記載の焦点可変ＬＥＤ光源ベース。
【発明の詳細な説明】
【技術分野】
【０００１】
本発明は発光ダイオード（ＬＥＤ）に関し、特に焦点可変ＬＥＤ光源ベースに関する。
【背景技術】
【０００２】
従来のＬＥＤの光源ベースは、ユーザが求める角度や光の形状を得るために、様々な種類のものが設計されていた。しかし、ＬＥＤの光源ベースを多種類製造する場合、コストが増大することがあった。そのため、ＬＥＤの光源ベースの種類を減らすことが求められていた。
【発明の開示】
【発明が解決しようとする課題】
【０００３】
本発明の目的は、ＬＥＤ光源ベースの焦点を調整する機能により、光源の種類に応じ、様々な光の形状を形成することが可能な焦点可変ＬＥＤ光源ベースを提供することにある。
【課題を解決するための手段】
【０００４】
（１）本発明は上記目的を達成するため、ＬＥＤ光源と、前記ＬＥＤ光源を覆い、第１のねじ部が外周に設けられた円筒形ハウジングと、前記第１のねじ部に対応した第２のねじ部が内周に設けられた円筒形焦点調整部と、前記円筒形焦点調整部中に固設された光学レンズと、を備え、前記円筒形焦点調整部は、前記第２のねじ部と前記第１のねじ部とを螺合し、前記円筒形ハウジングに対して回転させ、前記光学レンズと前記ＬＥＤ光源との間の距離を調整することを特徴とする焦点可変ＬＥＤ光源ベースを提供する。
【発明の効果】
【０００５】
本発明の焦点可変ＬＥＤ光源ベースは、ＬＥＤ光源ベースの焦点を調整する機能により、光源の態様に応じ、様々な光の形状を形成することができる。
【発明を実施するための最良の形態】
【０００６】
以下に、本発明の焦点可変ＬＥＤ光源ベースの実施の形態を図面を参考にして詳細に説明する。
【０００７】
本発明の焦点可変ＬＥＤ光源ベースにおいて、光源ベースのハウジングは２つに分かれており、そのうちの１つには光学レンズが含まれ、それら分けられた２つのハウジング間の距離を調整することにより、光学レンズとＬＥＤ光源との相対距離を調整し、光源ベースから放射される光の焦点を調整する。
【０００８】
図１を参照する。図１は、本発明の一実施形態によるＬＥＤ光源ベースのハウジングを示す斜視図である。このハウジングは、円筒形ハウジング１０６および円筒形焦点調整部１０２を含む。円筒形ハウジング１０６の外周上には、第１のねじ部１０６ａが設けられている。この円筒形ハウジング１０６には、ＬＥＤ光源の装着が可能な開口１０６ｂがさらに設けられている。円筒形焦点調整部１０２の内周には、円筒形ハウジング１０６の第１のねじ部１０６ａに対応した第２のねじ部１０２ａが設けられ、円筒形ハウジング１０６に対して円筒形焦点調整部１０２を回転（ねじ込むまたはねじ外す）させることができる。このように、円筒形焦点調整部１０２中に配置された光学レンズ１０４により、光源ベースから放射される光の焦点を調整する。
【０００９】
図２を参照する。図２は、本発明の一実施形態によるＬＥＤ光源ベースを示す斜視図である。ＬＥＤ光源ベース１００は、ＬＥＤ光源１１０、円筒形ハウジング１０６および円筒形焦点調整部１０２を含む。ＬＥＤ光源１１０は、キャリアボード１０８（例えば、高熱伝導基板）上に装着されている。ＬＥＤ光源１１０は、開口１０６ｂに貫設され、円筒形ハウジング１０６中に配置されている。円筒形ハウジング１０６と円筒形焦点調整部１０２とは、それらにそれぞれ設けられたねじ部を用いて組合わせることができる。ＬＥＤ光源ベース１００を組立てると、ＬＥＤ光源１１０は、光学レンズ１０４の光吸収凹部１０４ａに配置される。また、円筒形焦点調整部１０２は、第２のねじ部１０２ａと第１のねじ部１０６ａとを螺合し、円筒形ハウジング１０６を回転（ねじ込むまたはねじ外す）させることにより、光吸収凹部１０４ａの底面とＬＥＤ光源１１０との間の距離を調整し、光源ベース１００から放射される光の焦点を調整する。例えば、焦点調整部１０２を方向１２０に回転させて大きな光源焦点範囲１２０ａを得たり、円筒形焦点調整部１０２を方向１３０に回転させて小さな光源焦点範囲１３０ａを得たりする。
【００１０】
図３および図４を参照する。図３および図４は、本発明の一実施形態によるＬＥＤ光源ベースのレンズと発光源との位置関係を示す模式図である。ＬＥＤ光源ベースの発光効率をさらに向上させるために、光学レンズ１０４の光吸収凹部１０４ａでＬＥＤ光源１１０を覆って光源が外に漏れないようにする。さらに詳細には、焦点調整部１０２は、中空の円筒形ハウジング１０６の移動範囲に対応し、ＬＥＤ光源１１０の発光面１１０ａ（凸面）の位置を光吸収凹部１０４ａ内に保持し続ける。光吸収凹部１０４ａは、その深さがＬＥＤ光源１１０の高さよりも大きいため、ＬＥＤ光源１１０を完全に覆うことができる（図３に示す）。また、焦点調整部１０２は、中空の円筒形ハウジング１０６に対する移動範囲を増大させてもよい。図４を参照する。図４に示すように、光吸収凹部１０４ａの底面は、ＬＥＤ光源１１０から最も遠い距離にある。なお上述の光学レンズ１０４、光吸収凹部１０４ａおよび発光面１１０ａの形状は、当該技術に習熟した者であれば分かるように、図面に示された形状だけに限定されるわけではなく、必要に応じて変えることができる。
【００１１】
上述の実施形態から分かるように、本発明の焦点可変ＬＥＤ光源ベースにおいて、ＬＥＤベースの光源ベースのハウジングは２つの部分に分かれている。そして、そのうちの１つには光学レンズが含まれ、それら２つの部分を利用して距離を調整することにより、光学レンズと発光ダイオード光源との距離を調整し、光源ベースから放射される光の焦点を調整する。上述のＬＥＤ光源ベースは、焦点を調整する機能により、様々な態様の光源の要求に合致させることができる上、様々な光の形状を形成することもできる。
【００１２】
本発明では好適な実施形態を前述の通り開示したが、これらは決して本発明を限定するものではなく、当該技術を熟知するものなら誰でも、本発明の主旨と範囲を脱しない程度に各種の変更や修正を加えることができる。従って本発明の保護の範囲は、特許請求の範囲により定まる内容を基準とする。
【図面の簡単な説明】
【００１３】
【図１】本発明の一実施形態によるＬＥＤ光源ベースのハウジングを示す斜視図である。
【図２】本発明の一実施形態によるＬＥＤ光源ベースを示す斜視図である。
【図３】本発明の一実施形態によるＬＥＤ光源ベースのレンズと発光源との位置関係を示す模式図である。
【図４】本発明の一実施形態によるＬＥＤ光源ベースのレンズと発光源との位置関係を示す模式図である。
【符号の説明】
【００１４】
１００    ＬＥＤ光源ベース
１０２    円筒形焦点調整部
１０２ａ  第２のねじ部
１０４    光学レンズ
１０４ａ  光吸収凹部
１０６    円筒形ハウジング
１０６ａ  第１のねじ部
１０６ｂ  開口
１０８    キャリアボード
１１０    ＬＥＤ光源
１１０ａ  発光面
１２０    方向
１２０ａ  光源焦点範囲
１３０    方向
１３０ａ  光源焦点範囲
【図１】
2009054977.tif 000003
【図２】
2009054977.tif 000004
【図３】
2009054977.tif 000005
【図４】
2009054977.tif 000006